(57)【要約】【課題】フォーマ部が短い１台の抄紙機で、多品種の紙を重ね合わせた多層紙を抄造することができるツインワイヤ式の抄合せフォ−マを提供する。【解決手段】裏層を形成するための裏層用フォーマＡ２、中層を形成するための中層用フォーマＢ２及び表層を形成するための表層用フォーマＣ２でそれぞれ抄造された多品種紙を重ね合わせた多層紙を抄紙する抄合せフォーマである。裏層用フォーマＡ２の上部に、中層用フォーマＢ２と表層用フォーマＣ２が、それぞれが形成する湿紙の進行方向を互いに逆にして対向して配設されている。重ね合わせる紙を抄造する各層用フォーマＡ２、Ｂ２及びＣ２は、ロールシュータイプのツインワイヤフォーマとして構成して脱水能力が向上されているので、高速運転性が確保され、各層の湿紙を形成するためのフォ−ミング部の長さＬ４が短くなり、フォーマ全体の長さＬ１を小さくすることができる。【選択図】            図１
2004332150.tif 000002
【特許請求の範囲】
【請求項１】
複数のフォ−マでそれぞれ抄造された多品種紙を重ね合わせた多層紙を抄紙する抄合せフォーマにおいて、前記重ね合わせる紙を抄造する各フォーマをロールシュータイプのツインワイヤフォーマとしたことを特徴とするツインワイヤ式抄合せフォ−マ。
【請求項２】
前記多層紙が裏層、中層及び表層の３層から構成され、前記裏層を形成するための裏層用フォーマの上部に、前記中層を形成するための中層用フォーマと前記表層を形成するための表層用フォーマが、それぞれ形成する湿紙の進行方向を互いに逆にして対向して配設されていることを特徴とする請求項１に記載のツインワイヤ式抄合せフォ−マ。
【請求項３】
前記各フォーマは、トップワイヤとボトムワイヤの収束部に原料液が供給され、両ワイヤのラップ部で前記ボトムワイヤ内に設置のフォーミングロールで下方に脱水され、その後前記トップワイヤ内に設置の脱水装置で上方に脱水された後、カーブドサクションボックスで湿紙が前記ボトムワイヤ上に移されるように構成されていることを特徴とする請求項１又は２に記載のツインワイヤ式抄合せフォ−マ。
【請求項４】
前記中層用フォーマと前記表層用フォーマは、それぞれ湿紙を斜め下方に向けて進めて互いに重ねるようｙ字形に配置されていることを特徴とする請求項３に記載のツインワイヤ式抄合せフォ−マ。
【発明の詳細な説明】
【０００１】
【発明の属する技術分野】
本発明は、複数のフォ−マでそれぞれ抄造された多品種の紙を重ね合わせた多層紙を１台の抄紙機で抄造するツインワイヤ式の抄合せフォ−マに関する。
【０００２】
【従来の技術】
多品種の紙を重ね合わせた多層紙を１台の抄紙機で抄造するようにしたフォ−マは種々の型式のものが提供されている。
その例として、実開平０４−１３１６９８号公報には、ミニフォードリニア上の湿紙とボトムワイヤパート上の湿紙との抄合せを行なう抄合せ抄紙機において、抄合せを行なう部位におけるボトムワイヤパート上への押し込み量の調整機構が開示されている。
【０００３】
また、特開平０５−０３３２８２号公報には、ボトムワイヤ上に紙料噴出方向が互いに逆のボトムプライフォーミング用フォードリニアと、トッププライフォーミング用フォードリニアを設置することによって、ワイヤマークのない、平滑度に優れ、かつ微細繊維に富むミニフォードリニアの上面側であるフリーサイドを、板紙の表裏面に出し、表裏両外表面が印刷適性に優れた高級板紙を抄造する抄紙機が開示されている。
【０００４】
また、米国特許４８３０７０９号には、そのＦＩＧ．２に示されているように、２組のツインワイヤで紙層を形成する多層紙フォーマが開示され、上部脱水装置や、湿紙をボトムワイヤに移送するカーブドサクションボックスを用いることが開示されている。
【０００５】
更にまた、特開平０７−２５８９９１号公報には、多層の紙ウェブを形成する製紙機械として、２組のツインワイヤで紙層を形成する多層紙フォーマにおいて、上部脱水装置に対向させた下側の脱水バーを弾性的に押圧可能に配置した構成のものが開示されている。
【０００６】
一方、米国特許３５６５７５７号には、そのＦＩＧ．２に見られるように、ツインワイヤがフォーミングロール上で収束する部分に紙料を供給して、ツインワイヤの初期脱水をそのフォーミングロール上で行なった後にサクションボックスからなる下部脱水装置で単層の紙を形成するフォーマが開示されている。
【０００７】
図３には、長網式フォーマの上部に長網式のミニフォ−ドリニアを乗せた構造をもつ従来の抄合せ板紙用のフォ−マの例を示してある。図３に示した抄合せ板紙用のフォ−マの概要を説明すると、この抄合せ板紙用のフォ−マは、裏層用フォーマＡ１、中層用フォーマＢ１、表層用フォーマＣ１及びプレス部Ｄ１から構成されている。
【０００８】
図３の抄合せ板紙用のフォ−マにおいて、裏層用フォーマＡ１の第１ヘッドボックス１から供給された原料液は、裏層用フォ−ミングワイヤＷ１のル−プ内に設けられた裏層用フォ−ミングボ−ド１６上に乗せられ、裏層用フォイルボックス４及び裏層用ウェットボックス７により湿紙が形成され、裏層用サクションボックス１０により水分が調整されて、裏層の湿紙形成部の上部で形成された湿紙と重ね合わせるのに都合のよい水分レベルに保たれる。
【０００９】
中層の湿紙は中層用フォーマＢ１で形成される。中層用フォーマＢ１では、第２ヘッドボックス２から原料液が供給され、中層用フォ−ミングワイヤＷ２のル−プ内に設けられた中層用フォ−ミングボ−ド１７上に乗せられ、中層用フォイルボックス５及び中層用ウェットボックス８により形成された湿紙は中層用サクションボックス１１により所要の水分調整が行なわれて、重ね合わせに都合のよい水分レベルに保たれる。
【００１０】
表層の湿紙は表層用フォーマＣ１において同様にして形成されるが、表層の湿紙は前記した裏層及び中層の湿紙形成とは逆向きに進行して形成される。
すなわち、表層用フォーマＣ１において第３ヘッドボックス３から供給された原料液は、表層用フォ−ミングワイヤＷ３のル−プ内に設けられたフォ−ミングボ−ド１８上に乗せられ、表層用フォイルボックス６及び表層用ウェットボックス９で形成された湿紙は表層用サクションボックス１２で所要の水分調整が行なわれて、重ね合わせに都合のよい水分レベルに保たれた表層用フォ−ミングワイヤＷ３上の湿紙は、ク−チロ−ル４３により進行方向を変えて斜め下方に向かい、オ−プンロ−ル１９上の中層湿紙と重ね合わされる。
【００１１】
その後、中層の湿紙はトランスファボックス１３のバキュ−ムにより中層用フォ−ミングワイヤＷ２から剥離され、中層の湿紙と表層の湿紙が重ね合わさったものがオ−プンロ−ル２０により裏層用フォ−ミングワイヤＷ１上の裏層湿紙と重ね合わせられて３層構造となり、トランスファボックス１４のバキュ−ムにより湿紙は表層用フォ−ミングワイヤＷ３から離れて行く。
【００１２】
こうして形成された３層構造の湿紙はサクションボックス１５により所要の脱水が行なわれ、更にサクションク−チロ−ル３９により濃度を上げられて次工程のプレス部Ｄ１へと進む。ワイヤサポ−トフォイル４２が、トランスファボックス１４とサクションボックス１５の間のワイヤの垂れ下がりを抑制するために適宜設けられる。
【００１３】
この方式のフォ−マでは各層の湿紙を形成するためのフォ−ミング部が長く、生産性を上げるため抄速を上げようとすると、各フォ−マ部は更に長くなり、かつ、高速では繊維分散の良い湿紙形成がむつかしくなる欠点があるため、１０００ｍ／ｍｉｎを超えた運転は困難であった。これは各層の湿紙を形成するフォ−マがシングルワイヤで構成された長網式であることが根本原因である。
【００１４】
【特許文献１】
実開平０４−１３１６９８号公報
【特許文献２】
特開平０５−０３３２８２号公報
【特許文献３】
米国特許第３５６５７５７号明細書（ＦＩＧ．２）
【特許文献４】
米国特許第４８３０７０９号明細書（ＦＩＧ．２）
【特許文献５】
特開平０７−２５８９９１号公報（図１〜図３）
【００１５】
【発明が解決しようとする課題】
本発明は、従来の抄合せフォ−マが前記した問題点を有していた点に鑑み、フォーマ部が短い１台の抄紙機で多品種の紙を重ね合わせた多層紙を抄造することができるツインワイヤ式の抄合せフォ−マを提供することを課題としている。
【００１６】
【課題を解決するための手段】
抄合せではない単層の紙の製造においては、ツインワイヤにより繊維分散を良くして運転速度を上げたツインワイヤフォ−マが昨今目覚ましく発達している。特にツインワイヤの収束部に原料液を供給して初期脱水をロ−ルラップ上で行なうロ−ルフォ−マ方式により両ワイヤ側に薄い繊維マットを形成した後、シュ−ブレ−ドを使って繊維分散を良くするシュ−フォ−マ方式の、いわゆるロ−ルシュ−タイプのツインワイヤフォ−マは、ロ−ルラップによって脱水能力を向上させて、脱水性が良くない故紙等の原料液においても、ツインワイヤフォ−マの高速運転性を確保しており、また、カンタ−シュ−を含めたシュ−を用いたフォ−ミングにより繊維分散性が優れ、また、ワンパスリテンションが高い等多くの利点がある。
【００１７】
従ってこの形式のフォ−ミングメカニズムを抄合せフォ−マに取り入れ、図３に例示したような従来の抄合せ板紙用フォ−マにおける前述の欠点を回避して、繊維分散が良く、高速運転に適応可能なフォ−マを実現しようというのが本発明の着眼である。
【００１８】
本発明は、前記した着眼点に基づいて前記課題を解決するため、複数のフォーマでそれぞれ抄造された多品種紙を重ね合わせた多層紙を抄紙する抄合せフォーマにおいて、重ね合わせる紙を抄造する各フォーマをロールシュータイプのツインワイヤフォーマとしたツインワイヤ式抄合せフォ−マを提供する。
【００１９】
本発明のツインワイヤ式抄合せフォ−マは、前記したようにロールシュータイプのツインワイヤフォーマでそれぞれ抄造した紙を重ね合わせる構成としているので、脱水能力が向上されて高速運転性が確保され、各層の湿紙を形成するためのフォ−ミング部の長さが短くなり、フォーマ全体の長さを小さくすることができる。
また、本発明によるツインワイヤ式抄合せフォ−マでは、複数のフォーマを基本的に同じ仕様とすることができるので、製造、運転、保守が容易である。
【００２０】
本発明によるツインワイヤ式抄合せフォ−マは、多層紙を裏層、中層及び表層の３層から構成し、裏層を形成するための裏層用フォーマの上部に中層用フォーマと表層用フォーマを、それぞれが形成する湿紙の進行方向を互いに逆にして対向して配設した構成とすることができる。
【００２１】
また、本発明のツインワイヤ式抄合せフォ−マにおいて、各紙層用フォーマを、トップワイヤとボトムワイヤの収束部に原料液が供給され、両ワイヤのラップ部でボトムワイヤ内に設置のフォーミングロールで下方に脱水され、その後トップワイヤ内に設置の脱水装置で上方に脱水された後、カーブドサクションボックスで湿紙がボトムワイヤ上の移されるようにした構成として、更に脱水性能を向上させることができる。
【００２２】
また、本発明のツインワイヤ式抄合せフォ−マにおいて、中層用フォーマと表層用フォーマは、それぞれ湿紙を斜め下方に向けて進めて互いに重ねるようｙ字形に配置された構成にして、フォーミング部の長さを更に短縮されたものにすることができる。
【００２３】
【発明の実施の形態】
以下、本発明によるツインワイヤ式抄合せフォ−マを図示した実施の形態に基づいて具体的に説明する。
【００２４】
（第１実施形態）
まず、図１に示した第１実施形態によるツインワイヤ式抄合せフォ−マについて説明する。図１において、Ａ２は裏層用フォーマで、裏層用フォーマＡ２においては、裏層用ボトムフォ−ミングワイヤＷ１１のル−プ内に設けられた第１フォ−マ用フォ−ミングロ−ル２４に対し、裏層用のトップフォ−ミングワイヤＷ１０が抱き角をもって巻き付くことにより発生する両フォ−ミングワイヤＷ１０、Ｗ１１の収束部に、第１フォ−マ用ヘッドボックス２１から噴出された板状の原料液ジェットが供給され、第１フォ−マ用フォ−ミングロ−ル２４上の両ワイヤラップ部でロ−ルフォ−マ方式の初期脱水が行なわれる。
第１フォ−マ用フォ−ミングロ−ル２４のロ−ルの構造をオ−プンロ−ルあるいはサクションロ−ルとしておけば、この部分で行なわれる初期脱水は両面脱水となる。
【００２５】
裏層用のトップフォ−ミングワイヤＷ１０及びボトムフォ−ミングワイヤＷ１１の間に挟まれた原料液はバキュ−ムを働かせることも可能なフォ−ミングシュ−ユニット２７により繊維分散が行なわれながら更に脱水が行なわれてシュ−フォ−マ方式での繊維マットの形成が行なわれる。
【００２６】
このようにして形成された裏層の湿紙は、カ−ブドサクションボックス３０上において裏層用トップフォ−ミングワイヤＷ１０から剥離し、裏層用のボトムフォ−ミングワイヤＷ１１上に乗ったまま進行し、サクションボックス３３により水分が調整されて、中層（あるいは表層）の湿紙と重ね合わせるのに都合の良い水分レベルに保たれる。ボトムフォ−ミングワイヤＷ１１の垂れ下がりを抑制するためのワイヤサポ−トフォイル４２がカ−ブドサクションボックス３０とサクションボックス３３の間に適宜設けられる。
【００２７】
Ｂ２は中層用フォ−マで、中層用フォ−マＢ２においても同様にして、中層用のトップフォ−ミングワイヤＷ１２及びボトムフォ−ミングワイヤＷ１３が第２フォ−マ用フォ−ミングロ−ル２５上で収束する部分に、第２フォ−マ用ヘッドボックス２２から板状の原料液ジェット供給され，供給された板状の原料液ジェットは、第２フォ−マ用フォ−ミングロ−ル２５上の両ワイヤＷ１２、Ｗ１３のラップ部でロ−ルフォ−マ方式の初期脱水が行なわれ、更にバキュ−ムを働かせることも可能なフォ−ミングシュ−ユニット２８により繊維分散が行なわれながら更に脱水が行なわれて、シュ−フォ−マ方式での繊維マットの形成が行なわれる。
【００２８】
中層用フォ−マＢ２においても、裏層用のフォ−マにおける場合と同様に、第２フォ−マ用フォ−ミングロ−ル２５の構造をオ−プンロ−ルあるいはサクションロ−ルとして、初期脱水を両面脱水とすることもできる。
【００２９】
このようにして形成された中層の湿紙から、中層用のトップフォ−ミングワイヤＷ１２がカ−ブドサクションボックス３１上で離れ、サクションボックス３４によって湿紙水分の調整が行なわれて表層の湿紙と重ね合わせるのに都合のよい水分レベルに保たれる。
【００３０】
Ｃ２は表層用フォ−マで、表層用フォ−マＣ２についても裏層用フォ−マＡ２あるいは中層用フォ−マＢ２と同様にして、第３フォ−マ用ヘッドボックス２３、表層用トップフォ−ミングワイヤＷ１４及びボトムフォ−ミングワイヤＷ１５、第３フォ−マ用フォ−ミングロ−ル２６、フォ−ミングシュ−ユニット２９等により、ロ−ルフォ−マ方式とシュ−フォ−マ方式にて湿紙が形成され、カ−ブドサクションボックス３２上で表層用トップフォ−ミングワイヤＷ１４が離れ、湿紙は、サクションボックス３５により重ね合わせに都合のよい水分レベルに保たれる。
なお、表層用フォ−マＣ２は、図１に見られるように裏層用フォ−マＡ２及び中層用フォ−マＢ２とは進行方向が逆向きとなっている。
【００３１】
こうして形成された表、中、裏の３層の湿紙は従来と同様の工程により重ね合わされる。即ち、表層用フォ−マＣ２におけるボトムフォ−ミングワイヤＷ１５上の湿紙はク−チロ−ル４３により進行方向を変えて斜め下方に向かい、オ−プンロ−ル４０上の中層湿紙と重ね合わされ、トランスファボックス３６のバキュ−ムにより湿紙は中層用ボトムフォ−ミングワイヤＷ１３から離れ、更に中層と表層の湿紙が重ね合わさったものが、オ−プンロ−ル４１により裏層用ボトムフォ−ミングワイヤＷ１１上の裏層湿紙と重ね合わされて３層の構造となり、トランスファボックス３７のバキュ−ムにより湿紙は表層用ボトムフォ−ミングワイヤＷ１５から離れて行く。
【００３２】
このようにして重ね合わされた３層構造の湿紙は、サクションボックス３８により所要の脱水が行なわれ、更にサクションク−チロ−ル３９により濃度を上げられて次工程のプレス部Ｄ２へと進む。トランスファボックス３７と、サクションボックス３８の間にもボトムフォ−ミングワイヤＷ１１の垂れ下がりを抑制するためワイヤサポ−トフォイル４２が適宜設けられる。
【００３３】
（第２実施形態）
次に、図２に示した第２実施形態について説明する。図２に示した第２実施形態の場合は、図１に示した第１実施形態によるツインワイヤ式抄合せフォーマにおける表層用フォ−マＣ２のク−チロ−ル４３を省き、中層用フォ−マＢ３と表層用フォ−マＣ３を、アルファベットのｙの字形に合わせて表層の湿紙の上に中層の湿紙を抄合せし、その後、これを裏層の湿紙の上に重ね合わせるようにしたものである。
このような配置とすることにより、図２に示した第２実施形態における全フォ−マ部ボトムワイヤロ−ル中心間の距離Ｌ２は、図１に示した第１実施形態における全フォ−マ部ボトムワイヤロ−ル中心間の距離Ｌ１に比べて短くすることができる。
【００３４】
ただし、この第２実施形態のものでは、第２及び第３フォ−マ用ヘッドボックス２２及び２３の位置が高くなり、フォ−マ全体としての高さは高くなる。
図１あるいは図２いずれの配置であっても、トップフォ−ミングワイヤＷ１０とＷ２０、Ｗ１２とＷ２２、Ｗ１４とＷ２４は表・中・裏層共に同一寸法とすることが可能である。特に図１に示す如く中層用フォ−マＢ２と表層用フォ−マＣ２を水平対向形に配置した場合は、表層用フォ−マＣ２のみ勝手違いではあるが、各層用の各フォ−マは基本的に同じ仕様にすることができるため、製造・運転及び保守上の利便性がある。
【００３５】
図２に示すような中層用フォ−マＢ３と表層用フォ−マＣ３をｙ字形に配置した場合は、中層用フォ−マＢ３と表層用フォ−マＣ３について同様のことが言える。
初期脱水部において、ロ−ルラップで脱水を行うロ−ルフォ−マ方式を取り入れることにより、脱水能力を高めているため、濾水性の良くない故紙原料にも対応でき、更に引続いて、シュ−フォ−マ方式を取り入れていることにより、繊維分散性に優れたフォ−ミングが行なわれる。
【００３６】
このように良好な繊維分散の紙匹を高速で形成できるロ−ルシュ−フォ−マを各層のフォ−ミングに組み合わせ使用することにより、最高運転速度は１、０００ｍ／ｍｉｎを超えて２、０００ｍ／ｍｉｎ程度の運転にも十分対応することができる。また、フォ−マ部の長さに関しては、図３に示す長網式での各層用フォ−マ部ロ−ル中心間距離Ｌ５に対応するものとして、図１あるいは図２に示すフォ−マトップ中心間距離Ｌ４で見ると約半分で済む。
【００３７】
従って、３層を形成するフォーマを重ね合わせたフォ−マ全体の抄紙機進行方向長さは、従来方式の長網式の長さＬ３に比べてＬ１、Ｌ２と短くて済み、コンパクトとなっている。また、中層及び表層用のツインワイヤフォ−マ部を、図示しない吊上装置により持ち上げて、第１フォ−マ用ヘッドボックス２１とそのフォ−マのみを使用することにより、単層の印刷用紙、情報用紙、新聞用紙等の抄造にも対応できる。
【００３８】
中層のツインワイヤフォ−マ部のみを図示しない吊上げ装置にて持ち上げて、第１及び第３フォ−マ用ヘッドボックス２１及び２３とそれらのフォ−マのみで運転することも可能である。従って、抄造可能な坪量としては第１フォ−マ用ヘッドボックス２１とそのフォ−マのみを使用した場合４０ｇ／ｍ２前後から８０ｇ／ｍ２前後まで、第１及び第３ヘッドボックス２１及び２３とそれらのフォ−マを使用した場合８０ｇ／ｍ２前後から１６０ｇ／ｍ２前後まで、第１〜第３フォ−マ用ヘッドボックス２１〜２３とそれらのフォ−マを使用した場合１４０ｇ／ｍ２前後から２８０ｇ／ｍ２前後まで抄造可能である。
このように薄用紙から抄合せ板紙までの巾広い坪量の紙種にも対応できる多品種抄造可能形フォ−マである。
【００３９】
また、３層抄合せ紙の場合、両表面共にオモテ面となっている表裏差のない湿紙を形成する配置のフォ−マとなっている。即ち、紙表面のワイヤ−マ−クの点から言えば、ツインワイヤフォ−マで形成された紙層は両表面共にワイヤ面即ち裏面であり、いわゆるオモテ面がないとも言われる。しかしながら、紙匹を構成する両面の組成を比べてみると、多くのシュ−ブレ−ドが配置された側の表面の方が、微細繊維分が少なく、粗い組成になっており、その反対側の表面はフォ−ミングワイヤによるワイヤマ−クはあるものの、組成としては緻密な組成なっていることが一般に知られている。
【００４０】
この知見をもとに図１あるいは図２に示されている本発明の実施形態によるフォ−マをみると、第１フォ−マ用ヘッドボックス２１からの原料により形成される第１層即ち裏層は、フォ−ミングシュ−ユニット２７が進行方向上側に配置されているため、進行方向下側の面に緻密な組成となっている繊維マットが形成されている。
【００４１】
第２、第３フォ−マ用ヘッドボックス２２及び２３からの原料により形成される第２、第３層即ち中層及び表層についても同じ原理によりボトムフォ−ミングワイヤ側の面、即ち進行方向下側の面に緻密な組成の繊維マットが形成されているが、第３層、即ち表層の第３フォ−マ用ヘッドボックス２３とそのフォ−マは第１、第２層とは逆向きに配置されている。
このことにより、第１層の繊維マットの上に第２、第３層の繊維マットが重ね合せられた状態では、次工程のプレス部へ向かう湿紙の進行方向上面は、第３層即ち表層用フォ−マＣ２、Ｃ３のフォ−ミングシュ−ユニット２９が設けられている面と反対側の面であるため、緻密な組成となっている。
【００４２】
従って図１あるいは図２に示されている本発明の実施形態による抄合せフォ−マでは、最終層のヘッドボックス及びそのフォ−マが第１層のものとは逆向きとなっているため、次工程へ向かう湿紙の進行方向上面及び下面は、シュ−ブレ−ドが多数配置されなかった面であり、同じような性質を持つ、共に緻密な組成となっている。従って、後工程により、ワイヤマ−クを消すような平滑化が計られれば両面共にオモテ面となり得る湿紙を形成するものである。
【００４３】
この点に関しては、図３に例示する従来の長網タイプの抄合せフォ−マでは両面共に組成的に粗い裏面の湿紙が次工程のプレス部に進むことになっている。
【００４４】
以上、本発明を図示した実施の形態に基づき具体的に説明したが、本発明がこれらの実施の形態に限定されるものではなく、本発明の範囲内で種々の変更を加えてもよいことはいうまでもない。
【００４５】
例えば、図示した実施形態では、裏層、中層及び表層の３層を重ね合わせた多品紙を抄紙する場合を示したが、本発明は２層の多品紙を抄合せする場合や４層の以上の多品紙を抄合せする場合に適用してもよい。
【００４６】
また、図示した実施形態では、各フォーマのトップワイヤ内に設置する脱水装置としてフォーミングシューユニットを用いているが、脱水装置としては、これに限らず適宜のものであってよい。また、図示した実施形態では、中層用フォーマと表層用フォーマにサクションボックス３４、３５を設置しているが、これは不可欠ではない。
【００４７】
【発明の効果】
以上説明したように、本発明は、複数のフォーマでそれぞれ抄造された多品種紙を重ね合わせた多層紙を抄紙する抄合せフォーマにおいて、重ね合わせる紙を抄造する各フォーマをロールシュータイプのツインワイヤフォーマとしたツインワイヤ式抄合せフォ−マを提供するもので、このツインワイヤ式抄合せフォ−マでは、重ね合わせる複数の紙を、それぞれ複数のロールシュータイプのツインワイヤフォーマで抄造する構成としているので、各フォーマにおける脱水能力が向上されて高速運転性が確保され、各層の湿紙を形成するためのフォ−ミング部の長さを短くすることができる。
また、本発明によるツインワイヤ式抄合せフォ−マでは、複数のフォーマを基本的に同じ仕様とすることができ、製造、運転、保守が容易である。
【００４８】
また、本発明のツインワイヤ式抄合せフォ−マにおいて、各紙層用フォーマを、トップワイヤとボトムワイヤの収束部に原料液が供給され、両ワイヤのラップ部でボトムワイヤ内に設置のフォーミングロールで下方に脱水され、その後トップワイヤ内に設置の脱水装置で上方に脱水された後、カーブドサクションボックスで湿紙がボトムワイヤ上の移されるようにした構成としたものでは、脱水性能が更に向上される。
【００４９】
また、本発明のツインワイヤ式抄合せフォ−マにおいて、中層用フォーマと表層用フォーマを、それぞれ湿紙を斜め下方に向けて進めて互いに重ねるようｙ字形に配置された構成にしたものでは、フォーミング部の長さを更に短くすることができる。
【図面の簡単な説明】
【図１】本発明の第１実施形態によるロ−ルシュ−タイプのツインワイヤフォ−マを組合せた多品種紙抄造用ツインワイヤ式抄合せフォ−マの構造を示す縦断面図。
【図２】本発明の第２実施形態によるロ−ルシュ−タイプのツインワイヤフォ−マを組合せた多品種紙抄造用ツインワイヤ式抄合せフォ−マの構造を示す縦断面図。
【図３】従来の長網式フォ−マの上部に同形式のミニフォ−ドリニアを乗せた抄合せ板紙用のフォ−マの構造例を示す縦断面図。
【符号の説明】
１      第１ヘッドボックス
２      第２ヘッドボックス
３      第３ヘッドボックス
４      裏層用フォイルボックス
５      中層用フォイルボックス
６      表層用フォイルボックス
７      裏層用ウェットボックス
８      中層用ウェットボックス
９      表層用ウェットボックス
１０    裏層用サクションボックス
１１    中層用サクションボックス
１２    表層用サクションボックス
１３    トランスファボックス
１４    トランスファボックス
１５    サクションボックス
１６    裏層用フォ−ミングボ−ド
１７    中層用フォ−ミングボ−ド
１８    表層用フォ−ミングボ−ド
１９    オ−プンロ−ル
２０    オ−プンロ−ル
２１    第１フォ−マ用ヘッドボックス
２２    第２フォ−マ用ヘッドボックス
２３    第３フォ−マ用ヘッドボックス
２４    第１フォ−マ用フォ−ミングロ−ル
２５    第２フォ−マ用フォ−ミングロ−ル
２６    第３フォ−マ用フォ−ミングロ−ル
２７    フォ−ミングシュ−ユニット
２８    フォ−ミングシュ−ユニット
２９    フォ−ミングシュ−ユニット
３０    カ−ブドサクションボックス
３１    カ−ブドサクションボックス
３２    カ−ブドサクションボックス
３３    サクションボックス
３４    サクションボックス
３５    サクションボックス
３６    トランスファボックス
３７    トランスファボックス
３８    サクションボックス
３９    サクションク−チロ−ル
４０    オ−プンロ−ル
４１    オ−プンロ−ル
４２    ワイヤサポ−トフォイル
４３    ク−チロ−ル
【図１】
2004332150.tif 000003
【図２】
2004332150.tif 000004
【図３】
2004332150.tif 000005